(57)【要約】      （修正有）【課題】テレビ番組の放送中に、番組放送中に表示されたテロップなどの情報を逃さず記録する。【解決手段】テレビ番組の映像信号を常に一時的に記録しておき、番組視聴中にテロップ等が表示された時に、二画面表示とし、記録した映像信号を読み出して並列に並べて表示して、テロップ等の内容を確認できる。【選択図】図１
2008153794.tif 000002
【特許請求の範囲】
【請求項１】
テレビ放送を受信するテレビ放送受信装置において、
映像信号を常に一時的に記録する記録手段と、前記記録する前後の映像信号を二画面表示する表示制御手段とを具備したことを特徴とするテレビ放送受信装置。
【請求項２】
テレビ放送を受信するテレビ放送受信装置において、
映像信号の表示と並行して映像信号を常に一時的に記録する記録手段と、前記記録する前後の映像信号を二画面表示する表示制御手段とを具備したことを特徴とするテレビ放送受信装置。
【請求項３】
請求項１または請求項２に記載のテレビ放送受信装置において、
前記記録手段は、記録された映像信号を読み出している間は、新たな映像信号の書き込みを禁止することを特徴とするテレビ放送受信装置。
【請求項４】
請求項１または請求項２に記載のテレビ放送受信装置において、
前記記録手段に記録された映像信号の表示を開始した時は、前記記録手段への新たな映像信号の書き込みを禁止し、前記記録手段に記録された映像信号の表示を終了した時は、再び前記記録手段への新たな映像信号の書き込みを開始することを特徴とするテレビ放送受信装置。
【請求項５】
テレビ放送を受信するテレビ放送受信装置において、
映像信号のデータを削減するデータ削減手段と、
該データの削減をされた映像信号を常に一時的に記録する記録手段と、
前記記録する前後の映像信号を二画面表示する表示制御手段と、を具備したことを特徴とするテレビ放送受信装置。
【請求項６】
テレビ放送を受信するテレビ放送受信装置において、
映像信号のデータを削減するデータ削減手段と、
映像信号の表示と並行して該データの削減をされた映像信号を常に一時的に記録する記録手段と、
前記記録する前後の映像信号を二画面表示する表示制御手段と、を具備したことを特徴とするテレビ放送受信装置。
【請求項７】
請求項５または請求項６に記載のテレビ放送受信装置において、
前記記録手段は、記録された映像信号を読み出している間は、新たな映像信号の書き込みを禁止することを特徴とするテレビ放送受信装置。
【請求項８】
請求項５または請求項６に記載のテレビ放送受信装置において、
前記記録手段に記録された映像信号の表示を開始した時は、前記記録手段への新たな映像信号の書き込みを禁止し、前記記録手段に記録された映像信号の表示を終了した時は、再び前記記録手段への新たな映像信号の書き込みを開始することを特徴とするテレビ放送受信装置。
【請求項９】
請求項１乃至請求項８の何れかに記載のテレビ放送受信装置において、
前記記録手段への映像信号の書き込みは、エンドレス形式で書き込むことを特徴とするテレビ放送受信装置。
【請求項１０】
請求項１乃至請求項８の何れかに記載のテレビ放送受信装置において、
前記記録手段からの映像信号の読み出しは、静止画として読み出すことを特徴とするテレビ放送受信装置。
【請求項１１】
請求項１乃至請求項８の何れかに記載のテレビ放送受信装置において、
前記二画面表示は、それぞれの画面領域の画面中央部の圧縮率と周辺部の圧縮率を変えて表示することを特徴とするテレビ放送受信装置。
【請求項１２】
請求項１乃至請求項８の何れかに記載のテレビ放送受信装置において、
番組音声の中から特定の音声を検出する音声処理手段と、映像信号の中から特定映像を検出する特定映像検出手段と、を具備し、
前記音声処理手段と特定映像検出手段とが共に特定の音声、映像を検出した場合、前記二画面表示をすることを特徴とするテレビ放送受信装置。
【発明の詳細な説明】
【技術分野】
【０００１】
本発明はテレビ放送の受信装置に係り、特に、番組放送中に表示されたテロップなどの情報を逃さず記録する機能を有したテレビ放送受信装置である。
【背景技術】
【０００２】
テレビ番組の放送中に、懸賞などのあて先（住所やインターネットのＵＲＬなど）が画面に表示されることがある（図３参照）。
【０００３】
このような「あて先の表示」は短時間で表示が消えてしまうため、メモに書きとめようとしても間に合わない場合がある。
【０００４】
以上のような問題に対して、特許文献１に開示されているような解決手段が提案されている。
【特許文献１】特開２００１−１１１９１０号公報
【発明の開示】
【発明が解決しようとする課題】
【０００５】
特許文献１の方法は、画面に表示されたテロップの領域を抽出して、その領域の文字を認識した上で、テキストデータとして記録するものである。
【０００６】
このような特許文献１の方法では、文字認識において誤認識があった場合、間違った住所などがテキストデータとして保存されてしまうという問題がある。
【課題を解決するための手段】
【０００７】
本発明は、かかる課題に鑑み、これを解決するため、以下のような手段を講じた。
【０００８】
即ち、本発明に係るテレビ放送受信装置は、映像信号を常に一時的に記録する記録手段を具備したものである。
【０００９】
また、映像信号の表示と並行して映像信号を常に一時的に記録する記録手段を具備したものである。
【００１０】
ここで、前記記録手段は、記録された映像信号を読み出している間は、新たな映像信号の書き込みを禁止するようにしたものである。
【００１１】
加えて、映像信号のデータを削減するデータ削減手段と、該データの削減をされた映像信号を常に一時的に記録する記録手段と、を具備したものである。
【００１２】
更に、映像信号のデータを削減するデータ削減手段と、映像信号の表示と並行して該データの削減をされた映像信号を常に一時的に記録する記録手段と、を具備したものである。
【００１３】
ここで、前記記録手段は、記録された映像信号を読み出している間は、新たな映像信号の書き込みを禁止するようにしたものである。
【００１４】
また、前記記録手段への映像信号の書き込みは、エンドレス形式で書き込むようにしたものである。
【００１５】
また、前記記録手段からの映像信号の読み出しは、静止画として読み出すようにしたものである。
【００１６】
また、前記記録手段に記録される前後の映像信号を二画面表示するようにしたものである。
【００１７】
また、番組中の特定の音声と映像を検出し、これらが検出された場合に二画面表示するするようにしたものである。
【発明の効果】
【００１８】
本発明に係るテレビ放送受信装置によれば、番組視聴中に画面に短時間表示されるテロップの情報などを逃さず取得することができる。
【発明を実施するための最良の形態】
【００１９】
図１は、本発明に係るテレビ放送受信装置の第一の実施形態のブロック図である。
【００２０】
図１において、１０１は放送を受信するチューナ部であり、１０２は受信した放送信号をテレビ画面上に表示できる形態に処理する映像処理部であり、１０３は映像信号を一時的に記録する記録部であり、１０４は映像処理部１０２からの映像信号と記録部１０３からの映像信号を所定の態様で表示するように制御する表示制御部であり、１０５は映像信号を表示する画面表示部であり、１０６は装置全体の制御を司る制御部である。
【００２１】
図１では、受信されたテレビ放送波は、チューナ部１０１で、所定の伝送チャンネルに選局される。その選局された放送波は、映像処理部１０２で復号化、信号伸張などの処理を施され、テレビ画面に表示できる信号形態に復元される。
【００２２】
この復元された映像信号は、表示制御部１０４を介して画面表示部１０５に表示される。同時に、この映像信号は記録部１０３に記録される。
【００２３】
ここで、この記録部１０３への映像信号の記録は、使用者の操作や意図に係らず常時記録される。番組視聴中に画面に表示されるテロップなどはいつ表示されるか分からず、かつ、短時間であるため、テロップが表示されてから使用者の操作により記録を開始したのでは、間に合わないことがあるためである。この構成により、番組視聴中に画面に短時間表示されるテロップの情報などを逃さず取得することができることになる。
【００２４】
また、テロップなどの情報の表示は短時間であること、および、懸賞のあて先などの情報は、使用者が応募しようと思い立ったときの一時期だけ保存されていれば足りるため、記録部のメモリ容量としては、数十秒程度の映像信号が記録できるもので足り、メモリ容量がいっぱいになった場合は、順次古い情報の部分から上書きをすれば足りる。
【００２５】
表示制御部１０４では、通常は映像処理部１０２からの映像信号を選択して画面表示部１０５へ出力する。一方、記録部１０３の映像を表示する場合は、画面表示を二画面とし、記録部１０３の映像と映像処理部１０２からの映像信号とを並列に並べて画面表示部１０５へ出力する。
【００２６】
次に、画面にテロップが表示された場合の動作について説明する。
【００２７】
番組視聴中にテロップが表示され、このテロップの表示が消えた後にテロップの情報を見たい場合（もちろん、テロップの表示中でもかまわない）は、使用者はリモコンの操作などで記録部１０３からの映像の出力を指示する。
【００２８】
その指示は制御部１０６に入力され、制御部１０６は記録部１０３への新たな映像信号の記録を禁止する一方、記録部１０３から映像信号の読み出しを行なう。記録部１０３への新たな映像信号の記録を禁止するのは、本発明の場合、記録部１０３のメモリ容量が少ないため、記録部１０３からの映像信号の読み出し中に順次映像信号が書き換えられてしまうのを防止するためである。
【００２９】
表示制御部１０４は使用者からの操作により、記録部１０３からの映像信号と映像処理部１０２からの映像信号とを並列に並べて画面表示部１０５に表示する。
【００３０】
ここで、記録部１０３からの映像信号の読み出しは、使用者からの操作に従って、静止画として、フレーム（またはフィールド）ごとに順次読み出すことが好ましい。記録部１０３からの映像信号の読み出しは、「あて先」や「ＵＲＬ」などの文字情報を確認することを目的とし、映像信号そのものの鑑賞を目的とするものではないからである。
【００３１】
使用者は、記録部１０３から読み出された映像信号に表示された「あて先」や「ＵＲＬ」などの文字情報の確認（または、メモへの書き止め）などを行った後は、リモコンの操作などで記録部１０３から読み出された映像信号の表示を終了する。
【００３２】
この操作により画面表示部１０５に表示された映像は一画面に戻ると共に、映像処理部１０２からの映像信号が表示される。
【００３３】
同時に、記録部１０３では、記録された映像信号の読み出しを終了し、再び、映像処理部１０２からの映像信号の記録を始める。
【００３４】
次に、画面表示部１０５に記録部１０３の映像と映像処理部１０２からの映像信号とが並列に並べて二画面表示されているときの様子を説明する。
【００３５】
このときの様子を示した図が、図４、図５である。
【００３６】
図４、図５において、左側の映像が記録部１０３からの映像であり、右側の映像が映像処理部１０２からの映像である。
【００３７】
二画面表示にした場合、一画面表示のときと比べ、それぞれの画面に表示できる映像の縦横比が変化する。その変化への対応の仕方として図４、図５に示した二つのパターンを用意したものである。
【００３８】
まず、図４の場合、記録部１０３の映像、映像処理部１０２からの映像共に、横方向を圧縮して表示して、それぞれの表示領域内に収めている。このとき、左右それぞれの表示領域ごとに表示領域の中央部付近の圧縮率を１とし、周辺部の圧縮率を１より大きくする（以下、ノンリニア圧縮という）ようにすることが望ましい。テロップなどは画面中央部に表示されることが多いため、テロップの文字が圧縮されて読みにくくならないようにするためである。
【００３９】
尚、そのような意味においては、ノンリニア圧縮するのは、記録部１０３の映像のみでも良い。
【００４０】
次に、図５の場合、記録部１０３の映像をノンリニア圧縮するのは図４と同様である。映像処理部１０２からの映像は、一画面表示場合と同様の縦横比を保つように表示している。そのために、画面上下部に無画領域が生じている。
【００４１】
以上のように、画面表示部１０５に記録部１０３の映像と映像処理部１０２からの映像信号とを並列に並べて二画面表示することにより、番組の視聴を続けながら、テロップの内容の確認をすることができる。
【００４２】
次に、本発明に係るテレビ放送受信装置の第二の実施形態を説明する。
【００４３】
図２は、本発明に係るテレビ放送受信装置の第二の実施形態のブロック図である。
【００４４】
図１と同様の構成には図１と同じ符号を付し、説明は省略する。第一の実施形態との相違は、記録部１０３の前にデータ削減部２０１を設けた点である。
【００４５】
画面に表示されるテロップの表示は、短時間といっても数秒程度は表示される。これに対してテレビ放送の映像信号は１フィールドが１／６０秒単位で表示される（１フレームであれば１／３０秒単位）。
【００４６】
本発明においては、テロップに表示される「あて先」や「ＵＲＬ」などの文字情報が確認できれば良いので、全てのフィールド（またはフレーム）を記録部１０３に記録する必要はない。例えば、１秒単位でフィールド（またはフレーム）を記録すれば足りる。
【００４７】
更に、デジタル放送などでは、通常の映像信号は４Ｍｂｐｓから６Ｍｂｐｓ程度のビットレートで放送されている。本発明では、あて先などの文字情報が認識できる程度の解像度があればよいので、より低いビットレートで記録することができる。例えば、１Ｍｂｐｓから２Ｍｂｐｓ程度のビットレートで記録すれば足りる。
【００４８】
以上のようなフレームレートの削減、またはビットレートの削減をするのがデータ削減部２０１である。データの削減により記録部１０３のメモリ容量を少なくすることができる。
【００４９】
尚、記録部１０３には（読み出しが行われているとき以外は）常時映像信号が記録されていること、および、小容量のメモリ容量で足りることから、半導体メモリを用いることが好ましい。また、メモリ容量がいっぱいになった場合は、古いデータを順次捨てて新しいデータを記録すれば良いので、ＦＩＦＯ形式のメモリが適している。若しくは、古いデータの部分に順次新しいデータを上書きして記録（所謂、エンドレス形式で記録）しても良い。加えて、その記録は一時的なもので良いので、揮発性のメモリで足りる。
【００５０】
次に、本発明に係るテレビ放送受信装置の第三の実施形態を説明する。
【００５１】
第一の実施形態（第二の実施形態でも同様）では、画面表示部１０５の表示は、使用者が記録部１０３からの映像の出力を指示する操作をした際に二画面表示に切換わる。
【００５２】
本実施形態では、それを自動で行なうものである。
【００５３】
図６は、本発明に係るテレビ放送受信装置の第三の実施形態のブロック図である。
【００５４】
図１と同様の構成には図１と同じ符号を付し、説明は省略する。第一の実施形態との相違は、音声処理部６０１とテロップ検出部６０２を設けた点である。
【００５５】
番組を視聴中に画面にテロップなどが表示される場合、「あて先はこちら」、「アドレスはｈｔｔｐ：／／ＷＷＷ．」など特有の表現でアナウンスされる場合が多い。音声処理部６０１には予めこれらテロップの表示をうかがわせる表現を登録しておき、この登録された表現が放送の音声信号に含まれているかどうかを音声認識により検出する。
【００５６】
また、画面上、テロップが表示される場所は、通常、画面の下部又は上部である。そのことから、これらの領域にテロップの表示をうかがわせる特定の映像信号があるかどうかをテロップ検出部６０２で検出する。
【００５７】
これら、音声処理部６０１とテロップ検出部６０２において共にテロップが表示されたと判断した場合、自動的に画面表示部１０５の表示を記録部１０３からの映像と映像処理部１０２からの映像信号とを並列に並べて二画面表示するように切換える。
【００５８】
尚、音声処理部６０１とテロップ検出部６０２の両方でテロップが表示されたと判断した場合に切換えるようにしたのは誤検出を防止するためである。
【図面の簡単な説明】
【００５９】
【図１】本発明に係るテレビ放送受信装置の第一の実施形態のブロック図である。
【図２】本発明に係るテレビ放送受信装置の第二の実施形態のブロック図である。
【図３】テロップが表示された画面例である。
【図４】本発明に係るテレビ放送受信装置の第一の画面表示例である。
【図５】本発明に係るテレビ放送受信装置の第二の画面表示例である。
【図６】本発明に係るテレビ放送受信装置の第三の実施形態のブロック図である。
【符号の説明】
【００６０】
１０１  チューナ
１０２  映像処理部
１０３  記録部
１０４  表示制御部
１０５  画面表示部
１０６  制御部
２０１  データ削減部
６０１  音声処理部
６０２  テロップ検出部
【図１】
2008153794.tif 000003
【図２】
2008153794.tif 000004
【図３】
2008153794.tif 000005
【図４】
2008153794.tif 000006
【図５】
2008153794.tif 000007
【図６】
2008153794.tif 000008